【手続補正書】
【提出日】平成29年9月12日(2017.9.12)
【手続補正１】
【補正対象書類名】特許請求の範囲
【補正対象項目名】全文
【補正方法】変更
【補正の内容】
【特許請求の範囲】
【請求項１】
第１の間柱と第２の間柱と第１のブリッジ部材と第２のブリッジ部材との間の連結体であって、
ａ．前面及び反対面を有する前記第１の間柱であって、前記反対面は、前記第１の間柱の対向側面上において前記前面から側方に位置し、前記第１の間柱は、前記第１の間柱の前記前面と前記反対面との間を連絡する自体を貫通する開口を有する、前記第１の間柱と、
ｂ．前面及び反対面を有する前記第２の間柱であって、前記反対面は、前記第２の間柱の対向側面上において前記前面から側方に位置し、前記第２の間柱は、前記第１の間柱に対して実質的に平行に配設され、前記第１の間柱から選択距離だけ離間され、前記第２の間柱の前記反対面は、前記第１の間柱の前記前面に対面し、前記前面に対して平行に位置し、前記第２の間柱は、前記第２の間柱の前記前面と前記反対面との間を連絡する自体を貫通する開口を有する、前記第２の間柱と、
ｃ．前記第１の間柱に係合し前記第１の間柱の前記開口に受けられる前記第１のブリッジ部材であって、前記第１のブリッジ部材は、長手方向中心軸線を有し、取付部分並びに前記取付部分の各側の対向し合う第１の連結部分及び第２の連結部分が、前記長手方向中心軸線に沿って位置し、前記第１のブリッジ部材の前記取付部分は、前記第１の間柱の前記開口に受けられ、前記第２の連結部分は、前記第１の間柱の前記反対面から及びさらに前記第２の間柱の前記反対面から実質的に離れるように突出し、前記第１のブリッジ部材の前記第１の連結部分は、前記第１の間柱の前記前面から離れるように突出し、前記第２の間柱の前記反対面の方向に延在する、前記第１のブリッジ部材と、
ｄ．前記第２の間柱に係合し前記第２の間柱の前記開口に受けられる前記第２のブリッジ部材であって、前記第２のブリッジ部材は、長手方向中心軸線を有し、取付部分並びに前記取付部分の各側の対向し合う第１の連結部分及び第２の連結部分が、前記第２のブリッジ部材の前記長手方向軸線に沿って位置し、前記第２のブリッジ部材の前記取付部分は、前記第２の間柱に係合し、前記第２の間柱の前記開口に受けられ、前記第２の連結部分は、前記第２の間柱の前記反対面から実質的に離れるように突出し、前記第１の間柱の前記前面に向かって延在し、前記第２のブリッジ部材の前記第２の連結部分は、前記第２の間柱が前記第１の間柱により連結固定されるように、前記第１のブリッジ部材の前記第１の連結部分に係合し、前記第２のブリッジ部材の前記第１の連結部分は、前記第２の間柱の前記前面から離れるように突出し、前記第１の間柱の前記前面から離れるように突出する、前記第２のブリッジ部材と、
ｅ．第１の本体部分を有する前記第１のブリッジ部材の前記取付部分であって、前記第１の本体部分は、前記第１の本体部分にある角度で装着された第１の側部フランジを有し、また、前記取付部分の前記第１の本体部分は、第１のウェブ接合部分及び第２のウェブ接合部分を有する第１の内方エッジをさらに有し、前記第１の内方エッジは、前記第１の間柱の前記前面に接触するか又は前記前面に緊密に近接して位置する、前記第１のブリッジ部材の前記取付部分と、
ｆ．前記第１の間柱中の前記開口を貫通するネックにより前記第１の本体に結合された第２の本体部分を有する前記第１のブリッジ部材の前記取付部分であって、前記第２の本体部分は、前記第２の本体にある角度で装着された第１の側部フランジを有し、前記取付部分の前記第２の本体部分は、前記第１の間柱の前記反対面に対面する第１の内方エッジを有し、前記第１の内方エッジは、第３のウェブ接合部分及び第４のウェブ接合部分を有し、前記第１の内方エッジは、前記第１の間柱の前記反対面に接触するか又は前記反対面に緊密に近接して位置する、前記第１のブリッジ部材の前記取付部分と
を備え、
前記第１の本体部分の前記第１の側部フランジは、前記第１のブリッジ部材の前記長手方向軸線に対して鋭角で設置されることにより、前記第１の側部フランジは、前記第１の間柱の前記中央ウェブに接近するにしたがって前記長手方向中心軸線から外方へとフレア状に広がる、連結体。
【請求項２】
前記第１の本体部分の前記第１の側部フランジは、前記第１の壁間柱の中央ウェブに接触するか又は前記中央ウェブに緊密に近接して位置する内方エッジを有する、請求項１に記載の連結体。
【請求項３】
前記第２の本体部分の前記第１の側部フランジは、前記第１の壁間柱の前記中央ウェブに接触するか又は前記中央ウェブに緊密に近接して位置する内方エッジを有する、請求項１に記載の連結体。
【請求項４】
前記第２の本体部分の前記第１の側部フランジは、前記第１のブリッジ部材の前記長手方向軸線に対して鋭角で設置されることにより、前記第１の側部フランジは、前記第１の間柱の前記中央ウェブに接近するにしたがって前記長手方向中心軸線から外方へとフレア状に広がる、請求項３に記載の連結体。
【請求項５】
第２の側部フランジが前記第１の本体部分にある角度で装着される、請求項１に記載の連結体。
【請求項６】
前記第１の本体部分の前記第２の側部フランジは、前記第１の壁間柱の前記中央ウェブに接触するか又は前記中央ウェブに緊密に近接して位置する内方エッジを有する、請求項５に記載の連結体。
【請求項７】
前記第１の本体部分の前記第２の側部フランジは、前記第１のブリッジ部材の前記長手方向軸線に対して鋭角で設置されることにより、前記第２の側部フランジは、前記第１の間柱の前記中央ウェブに接近するにしたがって前記長手方向中心軸線から外方へとフレア状に広がる、請求項６に記載の連結体。
【請求項８】
第２の側部フランジが前記第２の本体部分にある角度で装着される、請求項１に記載の連結体。
【請求項９】
前記第２の本体部分の前記第２の側部フランジは、前記第１の壁間柱の前記中央ウェブに接触するか又は前記中央ウェブに緊密に近接して位置する内方エッジを有する、請求項８に記載の連結体。
【請求項１０】
前記第２の本体部分の前記第２の側部フランジは、前記第１のブリッジ部材の前記長手方向軸線に対して鋭角で設置されることにより、前記第２の側部フランジは、前記第１の間柱の前記中央ウェブに接近するにしたがって前記長手方向中心軸線から外方へとフレア状に広がる、請求項９に記載の連結体。
【請求項１１】
前記第１の本体部分は実質的に平坦である、請求項１に記載の連結体。
【請求項１２】
前記第２の本体部分は、実質的に平坦であり、前記第１の本体部分と実質的に同一平面内に位置する、請求項１に記載の連結体。
【請求項１３】
前記第１のブリッジ部材及び前記第２のブリッジ部材の前記第１の連結部分及び前記第２の連結部分は、溝形状である、請求項１に記載の連結体。
【請求項１４】
前記第１のブリッジ部材及び前記第２のブリッジ部材のそれぞれの前記第１の連結部分は、第１の幅を有し、前記第１のブリッジ部材及び前記第２のブリッジ部材のそれぞれの前記第２の連結部分は、異なる第２の幅を有し、前記第１の幅及び前記第２の幅の一方は、前記第１のブリッジ部材及び前記第２のブリッジ部材の一方の前記第２の連結部分が前記第１のブリッジ部材及び前記第２のブリッジ部材の他方の前記第１の連結部分に入れ子式に係合し得るように、前記第１の幅及び前記第２の幅の他方よりも若干広い、請求項１３に記載の連結体。
【請求項１５】
ａ．前記第２のブリッジ部材の前記取付部分は、第１の本体部分を有し、前記第１の本体部分は、前記第１の本体部分にある角度で装着された第１の側部フランジを有し、前記取付部分の前記第１の本体部分は、第１のウェブ接合部分及び第２のウェブ接合部分を有する第１の内方エッジをさらに有し、前記第１の内方エッジは、前記第２の間柱の前記前面に接触するか又は緊密に近接して位置し、
ｂ．前記第２のブリッジ部材の前記取付部分は、前記第２の間柱中の前記開口を貫通するネックにより前記第１の本体部分に結合された第２の本体部分を有し、前記第２の本体部分は、前記第２の本体部分にある角度で装着された第１の側部フランジを有し、前記取付部分の前記第２の本体部分は、前記第２の間柱の前記反対面に対面する第１の内方エッジを有し、前記第１の内方エッジは、第３のウェブ接合部分及び第４のウェブ接合部分を有し、第１の内方エッジは、前記第２の間柱の前記反対面に接触するか又は緊密に近接して位置する、請求項１に記載の連結体。
【請求項１６】
前記第１の本体部分の前記第１の側部フランジは、前記第１の壁間柱の前記中央ウェブに接触するか又は緊密に近接して位置する内方エッジを有する、請求項１５に記載の連結体。
【請求項１７】
前記第１の本体部分の前記第１の側部フランジは、前記第１のブリッジ部材の前記長手方向軸線に対して鋭角で設置されることにより、前記第１の側部フランジは、前記第１の間柱の前記中央ウェブに接近するにしたがって前記長手方向中心軸線から外方へとフレア状に広がる、請求項１６に記載の連結体。
【請求項１８】
前記第２の本体部分の前記第１の側部フランジは、前記第１の壁間柱の前記中央ウェブに接触するか又は緊密に近接して位置する内方エッジを有する、請求項１５に記載の連結体。
【請求項１９】
前記第２の本体部分の前記第１の側部フランジは、前記第１のブリッジ部材の前記長手方向軸線に対して鋭角で設置されることにより、前記第１の側部フランジは、前記第１の間柱の前記中央ウェブに接近するにしたがって前記長手方向中心軸線から外方へとフレア状に広がる、請求項１８に記載の連結体。
【請求項２０】
第１の間柱と第２の間柱と第１のブリッジ部材と第２のブリッジ部材との間の連結体であって、
ａ．前面及び反対面を有する前記第１の間柱であって、前記反対面は、前記第１の間柱の対向側面上において前記前面から側方に位置し、前記第１の間柱は、前記第１の間柱の前記前面と前記反対面との間を連絡する自体を貫通する開口を有する、前記第１の間柱と、
ｂ．前面及び反対面を有する前記第２の間柱であって、前記反対面は、前記第２の間柱の対向側面上において前記前面から側方に位置し、前記第２の間柱は、前記第１の間柱に対して実質的に平行に配設され、前記第１の間柱から選択距離だけ離間され、前記第２の間柱の前記反対面は、前記第１の間柱の前記前面に対面し、前記前面に対して平行に位置し、前記第２の間柱は、前記第２の間柱の前記前面と前記反対面との間を連絡する自体を貫通する開口を有する、前記第２の間柱と、
ｃ．前記第１の間柱に係合し前記第１の間柱の前記開口に受けられる前記第１のブリッジ部材であって、前記第１のブリッジ部材は、長手方向中心軸線を有し、取付部分並びに前記取付部分の各側の対向し合う第１の連結部分及び第２の連結部分が、前記長手方向中心軸線に沿って位置し、前記第１のブリッジ部材の前記取付部分は、前記第１の間柱の前記開口に受けられ、前記第２の連結部分は、前記第１の間柱の前記反対面から及びさらに前記第２の間柱の前記反対面から実質的に離れるように突出し、前記第１のブリッジ部材の前記第１の連結部分は、前記第１の間柱の前記前面から離れるように突出し、前記第２の間柱の前記反対面の方向に延在する、前記第１のブリッジ部材と、
ｄ．前記第２の間柱に係合し前記第２の間柱の前記開口に受けられる前記第２のブリッジ部材であって、前記第２のブリッジ部材は、長手方向中心軸線を有し、取付部分並びに前記取付部分の各側の対向し合う第１の連結部分及び第２の連結部分が、前記第２のブリッジ部材の前記長手方向軸線に沿って位置し、前記第２のブリッジ部材の前記取付部分は、前記第２の間柱に係合し、前記第２の間柱の前記開口に受けられ、前記第２の連結部分は、前記第２の間柱の前記反対面から実質的に離れるように突出し、前記第１の間柱の前記前面に向かって延在し、前記第２のブリッジ部材の前記第２の連結部分は、前記第２の間柱が前記第１の間柱により連結固定されるように、前記第１のブリッジ部材の前記第１の連結部分に係合し、前記第２のブリッジ部材の前記第１の連結部分は、前記第２の間柱の前記前面から離れるように突出し、前記第１の間柱の前記前面から離れるように突出する、前記第２のブリッジ部材と、
ｅ．第１の本体部分を有する前記第１のブリッジ部材の前記取付部分であって、前記第１の本体部分は、前記第１の本体部分にある角度で装着された第１の側部フランジを有し、前記第１の側部フランジは、前記第１の壁間柱の前記中央ウェブに接触するか又は緊密に近接して位置する内方エッジを有し、前記第１の本体部分の前記第１の側部フランジは、前記第１のブリッジ部材の前記長手方向軸線に対して鋭角で設置されることにより、前記第１の側部フランジは、前記第１の間柱の前記中央ウェブに接近するにしたがって前記長手方向中心軸線から外方へとフレア状に広がる、前記第１のブリッジ部材の前記取付部分と、
ｆ．前記第１の間柱中の前記開口を貫通するネックにより前記第１の本体に結合された第２の本体部分を有する前記第１のブリッジ部材の前記取付部分であって、前記第２の本体部分は、前記第２の本体にある角度で装着された第１の側部フランジを有し、前記第２の本体部分の前記第１の側部フランジは、前記第１の壁間柱の中央ウェブに接触するか又は緊密に近接して位置する内方エッジを有し、前記第２の本体部分の前記第１の側部フランジは、前記第１のブリッジ部材の前記長手方向軸線に対して鋭角で設置されることにより、前記第１の側部フランジは、前記第１の間柱の前記中央ウェブに接近するにしたがって前記長手方向中心軸線から外方へとフレア状に広がる、前記第１のブリッジ部材の前記取付部分と
を備える、連結体。
【請求項２１】
第２の側部フランジが前記第１の本体部分に対してある角度で装着される、請求項２０に記載の連結体。
【請求項２２】
前記第１の本体部分の前記第２の側部フランジは、前記第１の壁間柱の前記中央ウェブに接触するか又は緊密に近接して位置する内方エッジを有する、請求項２１に記載の連結体。
【請求項２３】
前記第１の本体部分の前記第２の側部フランジは、前記第１のブリッジ部材の前記長手方向軸線に対して鋭角で設置されることにより、前記第２の側部フランジは、前記第１の間柱の前記中央ウェブに接近するにしたがって前記長手方向中心軸線から外方へとフレア状に広がる、請求項２２に記載の連結体。
【請求項２４】
第２の側部フランジが前記第２の本体部分に対してある角度で装着される、請求項２０に記載の連結体。
【請求項２５】
前記第２の本体部分の前記第２の側部フランジは、前記第１の壁間柱の前記中央ウェブに接触するか又は緊密に近接して位置する内方エッジを有する、請求項２４に記載の連結体。
【請求項２６】
前記第２の本体部分の前記第２の側部フランジは、前記第１のブリッジ部材の前記長手方向軸線に対して鋭角で設置されることにより、前記第２の側部フランジは、前記第１の間柱の前記中央ウェブに接近するにしたがって前記長手方向中心軸線から外方へとフレア状に広がる、請求項２５に記載の連結体。
【請求項２７】
前記第１の本体部分は実質的に平坦である、請求項２０に記載の連結体。
【請求項２８】
前記第２の本体部分は、実質的に平坦であり、前記第１の本体部分と実質的に同一平面内に位置する、請求項２０に記載の連結体。
【請求項２９】
前記第１のブリッジ部材及び前記第２のブリッジ部材の前記第１の連結部分及び前記第２の連結部分は、溝形状である、請求項２０に記載の連結体。
【請求項３０】
前記第１のブリッジ部材及び前記第２のブリッジ部材のそれぞれの前記第１の連結部分は、第１の幅を有し、前記第１のブリッジ部材及び前記第２のブリッジ部材のそれぞれの前記第２の連結部分は、異なる第２の幅を有し、前記第１の幅及び前記第２の幅の一方は、前記第１のブリッジ部材及び前記第２のブリッジ部材の一方の前記第２の連結部分が前記第１のブリッジ部材及び前記第２のブリッジ部材の他方の前記第１の連結部分に入れ子式に係合し得るように、前記第１の幅及び前記第２の幅の他方よりも若干広い、請求項２９に記載の連結体。
【請求項３１】
ａ．前記第２のブリッジ部材の前記取付部分は、第１の本体部分を有し、前記第１の本体部分は、前記第１の本体部分にある角度で装着された第１の側部フランジを有し、前記第１の側部フランジは、前記第２の間柱の前記中央ウェブに接触するか又は緊密に近接して位置する内方エッジを有し、前記第１の本体部分の前記第１の側部フランジは、前記第２のブリッジ部材の前記長手方向軸線に対して鋭角で設置されることにより、前記第１の側部フランジは、前記第２の壁間柱の前記中央ウェブに接近するにしたがって前記長手方向中心軸線から外方へとフレア状に広がり、
ｂ．前記第２のブリッジ部材の前記取付部分は、前記第２の間柱中の前記開口を貫通するネックにより前記第１の本体部分に結合された第２の本体部分を有し、前記第２の本体部分は、前記第２の本体部分にある角度で装着された第１の側部フランジを有し、前記第２の本体の前記第１の側部フランジは、前記第２の壁間柱の前記中央ウェブに接触するか又は緊密に近接して位置する内方エッジを有し、前記第２の本体部分の前記第１の側部フランジは、前記第２のブリッジ部材の前記長手方向軸線に対して鋭角で設置されることにより、前記第１の側部フランジは、前記第２の間柱の前記中央ウェブに接近するにしたがって前記長手方向中心軸線から外方へとフレア状に広がる、請求項２０に記載の連結体。
【請求項３２】
請求項１に記載の前記連結体を作製する方法であって、
ａ．前記第１の本体部分の前記第１の側部フランジの前記第１の内方エッジが前記第１の間柱の前記中央ウェブに隣接して位置するように、前記第１の壁間柱の前記中央ウェブに隣接して前記第１のブリッジ部材の前記第１の本体部分を配置するステップと、
ｂ．前記第１の本体部分の前記第１の側部フランジの前記第１の内方エッジが前記第２の間柱の前記中央ウェブに隣接して位置するように、前記第２の壁間柱の前記中央ウェブに隣接して前記第２のブリッジ部材の前記第１の本体部分を配置するステップと、
前記第１のブリッジ部材の前記第１の連結部分に前記第２のブリッジ部材の前記第２の連結部分を固定するステップと
を含む、方法。